(57)【要約】【課題】側壁を透して水中を観察できることはもちろん、排水および風通しが良好であるために、松等の陸生樹木が根腐れを招くことなく育成し得る盆栽仕立て水槽を提供する。【解決手段】横幅や奥行きに対して低い透明容器とその受け皿とからなり、透明容器内に、鑑賞魚が泳ぐよう水が張られる部分と、樹木が植わるよう土砂が入れられる部分とを区分する仕切板を設け、仕切板が透明容器の中間位置よりも上に突き出る高さに形成され、土砂が入れられる樹木の植込み箇所の底に、受け皿に排水させる細孔を設けた。【選択図】　　図１
2004016003.tif 000002
【特許請求の範囲】
【請求項１】
横幅や奥行きに対して低い透明容器とその受け皿とからなり、透明容器内に、鑑賞魚が泳ぐよう水が張られる部分と、樹木が植わるよう土砂が入れられる部分とを区分する仕切板を設け、仕切板が透明容器の中間位置よりも上に突き出る高さに形成され、土砂が入れられる樹木の植込み箇所の底に、受け皿に排水させる細孔を設けたことを特徴とする盆栽仕立て水槽。
【請求項２】
樹木が松等の針葉樹であって、その枝の一部が透明容器の外に食み出ていることを特徴とする請求項１記載の盆栽仕立て水槽。
【請求項３】
相対向する両仕切板の間に、水が張られる水面より高い位置に支持して川底板を嵌め込み、川底板の基端部に岩を載置し、川底板の上が川となり先端に水面との落差による滝ができるように、岩の間にポンプによる水の噴出口を開口し、そのポンプが川底板の下において前記水面下で水を吸引できるように設けてあって、川底板の下にその吸引により生じる逆流の水のみを通過させる網状のフイルターを設けたことを特徴とする請求項１または２記載の盆栽仕立て水槽。
【発明の詳細な説明】
【０００１】
【発明の属する技術分野】
この発明は、透明な容器の中に水とともに盆栽や岩等をレイアウトした鑑賞用としての盆栽仕立て水槽に関する。
【０００２】
【従来の技術】
緑の少ない現代の生活では、インテリア感覚で部屋にちょっとした植物を置く人が多くなっている。それは、ストレス社会の現代人に大いなる安らぎを与えてくれるからである。鑑賞用としての水槽は、それだけに止まらず、水草の緑と水を同時に感じることができ、鑑賞魚も加わって日常では見られない大自然の空間をミニチアに現出してくれる。盆栽仕立て水槽は、さらに盆栽を加えてそれを発展させたものである。
【０００３】
従来、鑑賞用としての水槽は、一般的に、ガラスやアクリル樹脂等の壁からなる内部が透けて見える容器と、その上を塞ぐ蓋とからなり、内部には水を張るとともに岩を配置し、砂が敷かれた底床や岩に水草を繁茂させ、水中には鑑賞魚が泳いでいるようにレイアウトされる。盆栽仕立て水槽では、水面から出る岩の上に盆栽が植え付けられる。
【０００４】
【発明が解決しようとする課題】
しかし、このような従来の盆栽仕立て水槽の場合であると、周囲が高い側壁で囲まれており、しかも蓋が被せられるために、湿気が内部にこもることから、樹木の生育には適しなく根腐れをおこし、特に、元来、高山の岩上にも少ない水分で耐え抜く性質を有する松等の針葉樹の場合であると、仕立てることは不可能であったので、従来、盆栽は湿地や水辺に育つ草茎の種類に限られていた。
【０００５】
また、普通に盆栽を植える浅い素焼きの鉢の中に池を作ったときには、上からのみ見ることになるので、水中に魚が泳ぐ姿や水草が揺れる小世界をじっくりと鑑賞できなく、癒し効果の点で物足りなかった。
【０００６】
この発明は、上記のような実情に鑑みて、側壁を透して水中を観察できることはもちろん、排水および風通しが良好であるために、松等の陸生樹木が根腐れを招くことなく育成し得る盆栽仕立て水槽を提供することを目的とした。
【０００７】
【課題を解決するための手段】
上記の目的を達成するために、この発明は、横幅や奥行きに対して低い透明容器とその受け皿とからなり、透明容器内に、鑑賞魚が泳ぐよう水が張られる部分と、樹木が植わるよう土砂が入れられる部分とを区分する仕切板を設け、仕切板が透明容器の中間位置よりも上に突き出る高さに形成され、土砂が入れられる樹木の植込み箇所の底に、受け皿に排水させる細孔を設けたことを特徴とする盆栽仕立て水槽を構成した。
【０００８】
【作用】
上記の構成によれば、樹木の植込み箇所が仕切板により仕切られて水の侵入がないだけでなく、細孔からの排水があり、しかも、透明容器の高さ中間部よりも上に突き出て風通しも良好であるため、樹木が根腐れをおこすことはなく、特に、枝の一部を透明容器の外側に出した場合には（請求項２）、風通しもさらに良好となる。
【０００９】
【発明の実施の形態】
この発明において、透明容器１は、ガラスやアクリル樹脂等によって組み立てられ或いは成形されるもので、素焼きの鉢の場合とは違って、側壁を透して水中を観察し得るため、鑑賞魚の泳ぎを見て心に安らぎを得ることができる。
【００１０】
メンテナンスについては、水は流れがないと淀んでくるし、鑑賞魚から排泄される糞等を栄養として藻が発生し、それで水や透明容器が汚れるので、一般の水槽におけると同様に、ポンプ２２，４５により水を循環させるとともに、浄化装置を設けておくことが望ましい。しかし、側壁が汚れても浅底であるため、汚れを容易に拭き取ることができ、メンテナンスが容易である。
【００１１】
透明容器１の寸法や形状、その中のレイアウトについては様々となる。また、水を張る部分が池５や小川、海であったり、樹木の植込み箇所が庭７，９や丘、渓谷であったりというように、ミニチアの世界を多様に現出できる。また、水面２６よりも高い川４１を作って落差により滝４３を設けることもでき（請求項３）、その場合に、川４１の下にポンプ４５の吸引による逆流４７を設け、そこにフイルター４９を配置しておけば、水を浄化できるととともに、鑑賞魚の小魚がポンプ４５に吸引される不都合を防止できる。なお、図示はしないが、底床２１や仕切板１９に水草を植え付けることもあり、そうすれば、水草による水の浄化も望むことができる。
【００１２】
【発明の効果】
以上説明したように、この発明の盆栽仕立て水槽によれば、側壁を透して水中を観察し、あるいは上から見たりして心に安らぎが得られることはことはもちろん、樹木の植込み箇所では排水および風通しが良好であるので、樹木の根腐れを招く不都合を防止し順調に生育させることができ、また、側壁を透明に維持するメンテナンスも容易である等の優れた効果がある。
【００１３】
【実施例】
次に、この発明の実施例を図面に基づいて説明する。
【００１４】
図１および図２は、箱庭風にレイアウトした例を示したもので、その盆栽仕立て水槽は、矩形で広く浅い底の透明容器１と、それを支持する受け皿３とからなり、透明容器１の中に鑑賞魚４を泳がせる池５を設け、池５を隔てて庭７，９が配置され、池５に離れの小屋１１を立て、庭７，９には針葉樹木１３，１４や広葉樹木１５を植え、岩１６が配置される。また、離れる両庭７，９の間の奥にも岩１７を配し、岩１７，１７の間に池５に流れ込む滝１８が作られる。
【００１５】
透明容器１は、厚さが５ｍｍのアクリル樹脂板により、幅が９０ｃｍ、奥行きが４５ｃｍ、高さが１５ｃｍの浅い箱型に組み立てられ、庭７，９を作るために、底にアクリル樹脂の仕切板１９，１９を曲げて接着してある。その仕切板１９の高さを１０ｃｍとし、池５には４ｃｍの高さに砂を敷いて底床２１を設けてある。そして、水面２６の高さが透明容器１の底から８ｃｍになるように、レベル吸水口２３が設けられ、池５に鑑賞魚４としてメダカ等を泳がせてある。２２は、ポンプであって、それに吸引口２３が上下調整可能に取り付けられ、ホース２４により滝１８の放出口に水が送られるようになっている。
【００１６】
仕切板１９で仕切られた内側には水面２６よりも高く土砂２７を入れて庭７，９を作ってあるが、排水のために透明容器１の底に土砂２７から水が抜ける細孔２９，２９，・・を散在して形成することにより、排水された水が受け皿３に流れ落ちるようになっており、受け皿３の端に排水口３１が設けられる。また、土砂２７の下に発砲樹脂シートからなる濾過材２８を敷き、土砂２７の上には苔を植えてある。また、透明容器１には庭７，９に相当する外面が石垣に見えるように、その部分に岩石を模した石片３５，３５，・・を接着し、仕切板１９の外面には玉石に似せて玉片３６が接着してある。
【００１７】
針葉樹木１３，１４や広葉樹木１５は、透明容器１の口よりも高くなるように植えられ、そのうちでも、根腐れしやすい針葉樹木１３，１４では、枝の一部１３ａ，１４ａを透明容器１の外へ突き出して、空気に特に触れやすく風通しをさらに良くしてある。
【００１８】
図３ないし図５は、上記実施例と同様に箱庭風にしたものであるが、両方の庭７，９の間が池５の水面２６よりも高い川４１となるようにしてあって、それが岩１７，１７の間から噴出する滝１８の水が流れによるもので、その先に池５に流れ込む滝４３があり、池５に流れ込んだ水が川４１の下を潜って循環し、その間に浄化されるようになっている。そのため、岩１７，１７の下に水を循環させるポンプ４５を設け、川４１の下の逆流４７に幾つかの板状のフイルター４９が配設される。
【００１９】
川４１等を設けるために、仕切板１９，１９の間にアクリル樹脂の川底板５１を嵌め込んであって、その先端部５２が滝４３として下向きに屈曲してある。また、その基端部に岩１７，１７から流出する水の噴出口５３が貫通して固着され、ポンプ４５の吐水口５５がそれに嵌め込まれる。また、川４１においては、川底板５１の上に多数の小石４３を接着してある。
【００２０】
川４１の下の逆流４７においては、両仕切板１９，１９の間にフイルター４９を嵌め込み、それを固定するために、仕切板１９にフイルター４９を挟むよう一対の突条片５５，５５を接着し、それにより川底板５１が支持してある。また、仕切板１９には見える箇所に石ブロック５７をタイル状に張り付けてある。また、同様の石ブロック５７が川底板５１の屈曲先端部５２の下端にも接着される。
【図面の簡単な説明】
【図１】この発明の盆栽仕立て水槽を示す斜視図である。
【図２】同盆栽仕立て水槽の正面から見た断面図である。
【図３】他の実施例を示す盆栽仕立て水槽の一部斜視図である。
【図４】図３のＡ−Ａ矢視の断面図である。
【図５】図４のＢ−Ｂ線矢視の断面図である。
【符号の説明】
１　透明容器
３　受け皿
５　池
７，９　樹木の植込み箇所としての庭
１３，１４　針葉樹木
１５　広葉樹木
１３ａ，１４ａ　枝の一部
１９　仕切板
２６　水面
４１　川
４３　滝
４５　ポンプ
４７　逆流
４９　フイルター
５１　川底板
５３　噴出口
【図１】
2004016003.tif 000003
【図２】
2004016003.tif 000004
【図３】
2004016003.tif 000005
【図４】
2004016003.tif 000006
【図５】
2004016003.tif 000007